(57)【要約】【課題】水を再利用可能としながら外部動力を必要とせずに原水の濾過を行う濾過装置において、原水に含まれる固体成分が堆積することによる処理能力の低下を抑える。【解決手段】処理水を排出する底部２ａを有すると共に内部に処理前の原水を貯留可能な原水貯留空間Ｒ１を有する貯水容器２と、貯水容器２の内部空間を原水貯留空間Ｒ１と濾材４が収容されると共に底部２ａに接続された濾材収容空間Ｒ２とに区画する円筒区画壁３と、濾材収容空間Ｒ２に収容される濾材４とを備え、円筒区画壁３が、水平方向に液体を通過可能であると共に、貯水容器２の内部空間を水平方向に原水貯留空間Ｒ１と濾材収容空間Ｒ２とに区画している。【選択図】図１
2020124686.tif 000002
【特許請求の範囲】
【請求項１】
下部に処理水を排出する排出部を有すると共に内部に処理前の原水を貯留可能な原水貯留空間を有する貯水容器と、
前記貯水容器の内部空間を前記原水貯留空間と濾材が収容されると共に前記排出部に接続された濾材収容空間とに区画する区画壁と、
前記濾材収容空間に収容される濾材と
を備え、
前記区画壁は、水平方向に液体を通過可能であると共に、前記貯水容器の前記内部空間を水平方向に前記原水貯留空間と前記濾材収容空間とに区画する
ことを特徴とする濾過装置。
【請求項２】
前記原水貯留空間の下部も前記排出部に接続されており、前記原水貯留空間の底部にも濾材が配置されていることを特徴とする請求項１記載の濾過装置。
【請求項３】
前記区画壁の下部が前記濾材に埋設されていることを特徴とする請求項２記載の濾過装置。
【請求項４】
前記区画壁が軸心を鉛直方向に向けた筒形状とされていることを特徴とする請求項１〜３いずれか一項に記載の濾過装置。
【請求項５】
開口された先端部が前記原水貯留空間に配置され、前記貯水容器の外部から前記原水貯留空間に前記原水を案内する原水供給管を備えることを特徴とする請求項１〜４いずれか一項に記載の濾過装置。
【請求項６】
前記原水供給管は、前記原水貯留空間の内部に位置する途中部位が前記先端部に向けて下降するように傾斜配置され、前記途中部位の上部が上方に向けて開口されていることを特徴とする請求項５記載の濾過装置。
【請求項７】
前記原水貯留空間に配置され、前記原水貯留空間に供給される前記原水を受けると共に前記原水に含まれる固体成分の一部を捕捉して液体成分を通過させる予備濾過容器を備えることを特徴とする請求項１〜６いずれか一項に記載の濾過装置。
【請求項８】
前記予備濾過容器は、前記貯水容器に対して着脱可能とされていることを特徴とする請求項７記載の濾過装置。
【請求項９】
前記予備濾過容器の側壁部と前記貯水容器の側壁部とが離間して配置されていることを特徴とする請求項７または８記載の濾過装置。
【請求項１０】
前記貯水容器の内部に着脱可能に収容されると共に前記区画壁を支持する区画壁支持ケースを備えることを特徴とする請求項１〜９いずれか一項に記載の濾過装置。
【請求項１１】
前記区画壁支持ケースの側壁部と前記貯水容器の側壁部とが離間して配置されていることを特徴とする請求項１０記載の濾過装置。
【発明の詳細な説明】
【技術分野】
【０００１】
本発明は、濾過装置に関するものである。
【背景技術】
【０００２】
近年の環境意識の高まり等により、上下水道への接続や外部電源からの給電を要しないゼロエミッション型の水洗トイレが提案されている。このような水洗トイレでは、トイレから排出された原水を動力が不要の濾過装置によって固液分離し、さらに固液分離された液体成分を活性炭処理等の必要な後処理を施してからトイレタンクに還流している。
【０００３】
上述のような水洗トイレに設置される濾過装置は、外部動力が必要とされないように、濾材を底部に敷き詰めた容器に原水を注ぎ、重力によって濾材を原水が通過するようにしている（例えば特許文献１の図７参照）。このようにして原水が濾材を上方から下方に通過する過程で、原水に含まれる固体成分が分離され、容器の底部から処理水が排出される。
【先行技術文献】
【特許文献】
【０００４】
【特許文献１】特開２０１０−１０４８９６号公報
【発明の概要】
【発明が解決しようとする課題】
【０００５】
しかしながら、上述のような濾過装置においては、濾材上に供給された原水が濾材中に進水する際に固体成分が濾材上に残り、この固体成分は濾材に下方から支持されるため、そのまま濾材上に堆積することになる。このため、従来の濾過装置では、徐々に堆積物が溜まることで濾過速度が低下し、最終的には詰まることになる。例えば被災地では、短時間に多くの人数がトイレを使用することが想定され、短時間で濾過装置が詰まってしまうことが想定される。また、このような濾過装置が短時間で詰まるという問題は、ゼロエミッション型の水洗トイレに限られるものではなく、水を再利用しながら生活排水や工場排水を濾過する濾過装置に対して同様に生じる問題である。
【０００６】
本発明は、上述する問題点に鑑みてなされたもので、水を再利用可能としながら外部動力を必要とせずに原水の濾過を行う濾過装置において、原水に含まれる固体成分が堆積することによる処理能力の低下を抑えることを目的とする。
【課題を解決するための手段】
【０００７】
本発明は、上記課題を解決するための手段として、以下の構成を採用する。
【０００８】
第１の発明は、濾過装置であって、下部に処理水を排出する排出部を有すると共に内部に処理前の原水を貯留可能な原水貯留空間を有する貯水容器と、上記貯水容器の内部空間を上記原水貯留空間と濾材が収容されると共に上記排出部に接続された濾材収容空間とに区画する区画壁と、上記濾材収容空間に収容される濾材とを備え、上記区画壁が、水平方向に液体を通過可能であると共に、上記貯水容器の上記内部空間を水平方向に上記原水貯留空間と上記濾材収容空間とに区画するという構成を採用する。
【０００９】
第２の発明は、上記第１の発明において、上記原水貯留空間の下部も上記排出部に接続されており、上記原水貯留空間の底部にも濾材が配置されているという構成を採用する。
【００１０】
第３の発明は、上記第２の発明において、上記区画壁の下部が上記濾材に埋設されているという構成を採用する。
【００１１】
第４の発明は、上記第１〜第３いずれかの発明において、上記区画壁が軸心を鉛直方向に向けた筒形状とされているという構成を採用する。
【００１２】
第５の発明は、上記第１〜第４いずれかの発明において、開口された先端部が上記原水貯留空間に配置され、上記貯水容器の外部から上記原水貯留空間に上記原水を案内する原水供給管を備えるという構成を採用する。
【００１３】
第６の発明は、上記第５の発明において、上記原水供給管が、上記原水貯留空間の内部に位置する途中部位が上記先端部に向けて下降するように傾斜配置され、上記途中部位の上部が上方に向けて開口されているという構成を採用する。
【００１４】
第７の発明は、上記第１〜第６いずれかの発明において、上記原水貯留空間に配置され、上記原水貯留空間に供給される上記原水を受けると共に上記原水に含まれる固体成分の一部を捕捉して液体成分を通過させる予備濾過容器を備えるという構成を採用する。
【００１５】
第８の発明は、上記第７の発明において、上記予備濾過容器が、上記貯水容器に対して着脱可能とされているという構成を採用する。
【００１６】
第９の発明は、上記第７または第８の発明において、上記予備濾過容器の側壁部と上記貯水容器の側壁部とが離間して配置されているという構成を採用する。
【００１７】
第１０の発明は、上記第１〜第９いずれかの発明において、上記貯水容器の内部に着脱可能に収容されると共に上記区画壁を支持する区画壁支持ケースを備えるという構成を採用する。
【００１８】
第１１の発明は、上記第１０の発明において、上記区画壁支持ケースの側壁部と上記貯水容器の側壁部とが離間して配置されているという構成を採用する。
【発明の効果】
【００１９】
本発明によれば、液体を水平方向に通過可能な区画壁によって、貯水容器の内部空間が水平方向に原水貯留空間と濾材収容空間に区画されている。このような本発明の原水貯留空間に原水を供給すると、原水が水平方向に移動して濾材収容空間に進入する。このとき、濾材によって原水から分離された固体成分は、少なくとも一部が重力によって貯水容器の底部に移動して堆積する。このため、本発明によれば、貯水容器の底部に溜まる堆積物によって、原水貯留空間から濾材収容空間に原水が進入可能な面積が減少することを抑制することができ、堆積物によって濾材への進入経路が全て塞がるまでの時間を長く確保することが可能となる。したがって、本発明によれば、水を再利用可能としながら外部動力を必要とせずに原水の濾過を行う濾過装置において、原水に含まれる固体成分が堆積することによる処理能力の低下を抑えることが可能となる。
【図面の簡単な説明】
【００２０】
【図１】本発明の第１実施形態における濾過装置の概略構成を示す模式図であり、（ａ）が斜視図、（ｂ）が縦断面図である。
【図２】本発明の第１実施形態における濾過装置が備える供給ホースの途中部位を模式的に示す斜視図である。
【図３】本発明の第１実施形態における濾過装置の動作説明図であり、（ａ）が使用開始直後を示す図であり、（ｂ）が使用開始から一定時間経過後を示す図である。
【図４】本発明の実施例による測定結果を示すグラフであり、濾過水量が０．５Ｌであるときの原水の投入回数と濾過時間との関係を示すグラフである。
【図５】本発明の実施例による測定結果を示すグラフであり、濾過水量Ｖが１Ｌであるときの原水の投入回数と濾過時間との関係を示すグラフである。
【図６】本発明の実施例による測定結果を示すグラフであり、濾過水量Ｖが２Ｌであるときの原水の投入回数と濾過時間との関係を示すグラフである。
【図７】本発明の実施例による測定結果を示すグラフであり、縦軸に濾過水量を取り、横軸に投入数を取って濾過時間が５分における測定結果を示すグラフである。
【図８】本発明の第２実施形態における濾過装置の概略構成を示す模式図であり、（ａ）が斜視図、（ｂ）が縦断面図である。
【図９】本発明の第２実施形態における濾過装置の分解図である。
【図１０】本発明の濾過装置の変形例を模式的に示す平面図である。
【発明を実施するための形態】
【００２１】
以下、図面を参照して、本発明に係る濾過装置の一実施形態について説明する。
【００２２】
（第１実施形態）
図１は、本発明の第１実施形態における濾過装置１の概略構成を示す模式図であり、（ａ）が斜視図、（ｂ）が縦断面図である。本実施形態の濾過装置１は、水洗トイレから排出された排水等の有機物からなる固体成分を多く含む排水を原水Ｘとし、この原水Ｘから固体成分を分離した処理水Ｙを排出するものである。図１に示すように、本実施形態の濾過装置１は、貯水容器２と、円筒区画壁３（区画壁）と、濾材４と、供給ホース５（原水供給管）とを備えている。
【００２３】
貯水容器２は、上部が開放された略有底円筒形の容器であり、底部２ａと筒状の側壁部２ｂとを有している。底部２ａは、液体が通過可能とされている。つまり、本実施形態においては、貯水容器２の下部を形成する底部２ａが、貯水容器２から外部に処理水Ｙを排出する排出部となっている。このような底部２ａは、例えば、側壁部２ｂと一体化された底板の中央部に開口を設け、この底板上に、濾材４を形成する後述のガラス片よりも目が細かい防虫網を上下面に貼付した人工芝材を載置することにより形成することができる。このような人工芝材を載置することによって、底部２ａに空気層を形成することができる。
【００２４】
側壁部２ｂは、底部２ａと接続されており、上端から下端に向かうに連れて縮径されている。このような側壁部２ｂは、上方から見て円盤状の底部２ａを径方向外側から囲うように配置されている。
【００２５】
円筒区画壁３は、貯水容器２の底部２ａに立設された円筒状の部材であり、軸心Ｌが鉛直方向を向くように配置されている。この円筒区画壁３は、軸心Ｌを中心とする径方向において液体を通過可能とする多数の空孔を有している。つまり、円筒区画壁３は、液体を通過可能に形成されている。
【００２６】
なお、円筒区画壁３に形成された空孔の大きさは、各々が後述のガラス片の粒径よりも小さく設定されている。なお、複数のパンチ孔が設けられた円筒部材や、液体を通過可能な多孔質体からなる円筒部材を円筒区画壁３として用いることも可能である。
【００２７】
このような円筒区画壁３は、貯水容器２の内部を水平方向に原水貯留空間Ｒ１と濾材収容空間Ｒ２とに区画する。本実施形態では、円筒区画壁３の外側が原水貯留空間Ｒ１とされ、円筒区画壁３の内側が濾材収容空間Ｒ２とされている。つまり、円筒区画壁３は、貯水容器２の内部を、水平方向に分けて２つの空間に区画しており、これらの２つの空間のうち一方を原水貯留空間Ｒ１とし、他方を濾材収容空間Ｒ２としている。
【００２８】
なお、本実施形態においては、上述のように貯水容器２の底部２ａが排水部とされている。このため、原水貯留空間Ｒ１及び濾材収容空間Ｒ２は、いずれも下部が排水部に接続されている。したがって、原水貯留空間Ｒ１の下部及び濾材収容空間Ｒ２の下部のいずれもから貯水容器２の外部に液体を排出することが可能となっている。
【００２９】
濾材４は、液体が通過可能とされており、供給される原水Ｘに含まれる固体成分を捕捉すると共に液体成分を処理水Ｙとして通過させる。このような濾材４は、本実施形態においては、細かな多数のガラス片によって形成されている。なお、濾材４は、ガラス片以外の材料によって形成することも可能である。例えば、砂利等の粒状体によって濾材４を形成することができる。
【００３０】
また、本実施形態において濾材４は、濾材収容空間Ｒ２の全領域と、原水貯留空間Ｒ１の底部領域とに設けられている。つまり、濾材収容空間Ｒ２の全領域と、原水貯留空間Ｒ１の下端から４分の１程度の高さまでガラス片が埋設されており、このガラス片が埋設された領域が濾材４とされている。円筒区画壁３は、このような濾材４に下部が埋設された状態で立設されている。
【００３１】
なお、本実施形態において、濾材４は、同一材料（ガラス片）によって一体的に形成されているが、説明の便宜上、濾材収容空間Ｒ２に配置された部位を水平濾過部４ａと称し、原水貯留空間Ｒ１の底部に配置された部位を底部濾過部４ｂと称する。つまり、水平濾過部４ａは、円筒区画壁３の内側を埋設する円柱形状とされた部位であり、下面が貯水容器２の底部２ａに接続されている。
【００３２】
水平濾過部４ａは、原水貯留空間Ｒ１から円筒区画壁３を水平方向に通過して供給された原水Ｘの固体成分を液体成分から分離する。水平濾過部４ａに進入した原水Ｘの液体成分は、重力によって下方に移動し、貯水容器２の底部２ａから処理水Ｙとして貯水容器２の外部に排出される。
【００３３】
また、底部濾過部４ｂは、円筒区画壁３を囲む環状とされた部位であり、下面が貯水容器２の底部２ａに接続されている。底部濾過部４ｂは、底部濾過部４ｂの上方から供給された原水Ｘの固体成分を液体成分から分離する。底部濾過部４ｂに進入した原水Ｘの液体成分は、重力によって下方に移動し、貯水容器２の底部２ａから処理水Ｙとして貯水容器２の外部に排出される。
【００３４】
供給ホース５は、貯水容器２の上部から挿し込まれたホースであり、開口された先端部が底部濾過部４ｂの上面に載置された状態で設けられている。また、供給ホース５の途中部位は、図１（ａ）に示すように、貯水容器２の側壁部２ｂの内壁面に沿って螺旋状に巻回されながら、先端部に向けて下降するように傾斜配置されている。
【００３５】
図２は、供給ホース５の途中部位を模式的に示す斜視図である。この図に示すように、供給ホース５の途中部位は、上部にスリット５ａが設けられており、これによって上方に向けて開口されている。
【００３６】
本実施形態においてスリット５ａは、供給ホース５の先端部から供給ホース５の延在方向に沿って連続的に形成されており、供給ホース５の全長のうち原水貯留空間Ｒ１に収容された領域に設けられている。つまり、このような供給ホース５は、スリット５ａが設けられている範囲においては、延在方向と直交する断面形状が上方に向けて開口された円弧形状とされている。
【００３７】
このスリット５ａは、原水貯留空間Ｒ１に固体成分Ｚが堆積し、供給ホース５の先端側が固体成分Ｚ中に埋設されても、供給ホース５を流れる原水が原水貯留空間Ｒ１に流れ込むことを可能とするための部位である。
【００３８】
このような供給ホース５は、貯水容器２の外部にて、原水Ｘを貯留するコンテナ等と接続されており、コンテナから供給される原水Ｘを原水貯留空間Ｒ１に案内する。なお、コンテナを貯水容器２よりも上方に配置することによって、原水Ｘの位置エネルギにより外部動力を必要とせずに原水Ｘを原水貯留空間Ｒ１に供給ホース５を介して供給することができる。
【００３９】
続いて、上述のように構成された本実施形態の濾過装置１の動作について、図３を参照して説明する。
【００４０】
なお、このような構成の本実施形態の濾過装置１において水洗トイレから排出される排水を濾過処理する場合には、原水貯留空間Ｒ１の空間容積を、水洗トイレから一度に排出される排水量よりも大きくする必要がある。濾過装置１において、原水Ｘを濾過処理するまでに一定の時間を要すること、及び、原水貯留空間Ｒ１に徐々に固体成分が堆積して空間容積が減少することを考慮すると、原水貯留空間Ｒ１の空間容積は水洗トイレから一度に排出される排水量よりも十分に大きくすることが好ましい。
【００４１】
このような場合には、特に本実施形態の濾過装置１の使用開始時期において、水洗トイレからの一度に排出されて原水貯留空間Ｒ１に供給される原水Ｘは、原水貯留空間Ｒ１に対して十分に小さい。原水貯留空間Ｒ１の空間容積は特に限定されるものではない。ただし、以下の説明では、原水貯留空間Ｒ１の空間容積は水洗トイレから一度に排出される排水量よりも十分に大きいものとして、バッチ式に原水Ｘが原水貯留空間Ｒ１に供給される状態での本実施形態の濾過装置１の動作説明を行う。
【００４２】
図３（ａ）は、使用開始直後における本実施形態の濾過装置１の状態を模式的に示す縦断面図である。また、図３（ｂ）は、使用開始から一定時間経過後における本実施形態の濾過装置１の状態を模式的に示す縦断面図である。
【００４３】
まず、使用が開始され、供給ホース５を介して原水貯留空間Ｒ１に原水Ｘが供給されると、原水Ｘは原水貯留空間Ｒ１に一旦溜まる。原水貯留空間Ｒ１に溜まった原水Ｘの液体成分の一部は、水平方向に移動して円筒区画壁３を通過して濾材４の水平濾過部４ａに浸透して供給される。
【００４４】
また、原水Ｘの液体成分の残部は、濾材４の底部濾過部４ｂに上方から浸透して供給される。このように原水Ｘの液体成分が濾材４に供給されるに伴って、原水Ｘの固体成分は濾材４の表面に残り、原水Ｘから分離される。
【００４５】
水平濾過部４ａに供給された原水Ｘの液体成分は、水平濾過部４ａに沿って下方に移動し、貯水容器２の底部２ａから処理水Ｙとして排出される。また、底部濾過部４ｂに供給された原水Ｘの液体成分も、底部濾過部４ｂの内部を下方に移動し、貯水容器２の底部２ａから処理水Ｙとして排出される。つまり、原水Ｘの液体成分は、濾材４を通過して処理水Ｙとして排出される。
【００４６】
原水Ｘが水平濾過部４ａに供給されることによって、水平濾過部４ａの表面に濾しとられた固体成分Ｚは、重力の作用によって少なくとも一部が水平濾過部４ａの表面から剥離して原水貯留空間Ｒ１を原水Ｘと共に移動する。このように、水平濾過部４ａの表面から剥離して原水貯留空間Ｒ１を下方に移動した固体成分は、底部濾過部４ｂ上に堆積する。このため、水平濾過部４ａの表面は、原水Ｘの固体成分Ｚが少なく、原水Ｘの液体成分が進入しやすい状態が維持される。
【００４７】
なお、原水Ｘが底部濾過部４ｂに供給されることによって、底部濾過部４ｂの表面に濾しとられた固体成分Ｚは、重力の作用によって底部濾過部４ｂの上面に堆積されたままとなる。そして、一定時間が経過すると、図３（ｂ）に示すように、底部濾過部４ｂ上に固体成分Ｚが厚く堆積した状態となる。このように、底部濾過部４ｂ上に固体成分Ｚが厚く堆積した状態であっても、水平濾過部４ａの表面に残存する固体成分Ｚは少ないため、原水貯留空間Ｒ１に供給された原水Ｘは、水平濾過部４ａに水平移動することができる。
【００４８】
なお、底部濾過部４ｂ上に堆積した固体成分Ｚも、原水Ｘの液体成分を下方に向けて通過させることが可能である。このため、液体成分の通過速度が濾材４と比較して遅いものの、固体成分Ｚは、新たな濾材として機能し、底部濾過部４ｂに向けて液体成分を通過させる。
【００４９】
以上説明したような本実施形態の濾過装置１においては、処理水Ｙを排出する底部２ａを有すると共に内部に処理前の原水Ｘを貯留可能な原水貯留空間Ｒ１を有する貯水容器２と、貯水容器２の内部空間を原水貯留空間Ｒ１と濾材４が収容されると共に底部２ａに接続された濾材収容空間Ｒ２とに区画する円筒区画壁３と、濾材収容空間Ｒ２に収容される濾材４とを備えている。さらに、本実施形態の濾過装置１においては、円筒区画壁３が、水平方向に液体を通過可能であると共に、貯水容器２の内部空間を水平方向に原水貯留空間Ｒ１と濾材収容空間Ｒ２とに区画している。
【００５０】
このような本実施形態の濾過装置１によれば、液体を水平方向に通過可能な円筒区画壁３によって、貯水容器２の内部空間が水平方向に原水貯留空間Ｒ１と濾材収容空間Ｒ２に区画されている。このような本実施形態の濾過装置１の原水貯留空間Ｒ１に原水Ｘを供給すると、原水Ｘが水平方向に移動して濾材収容空間Ｒ２に進入する。
【００５１】
このとき、濾材４によって原水Ｘから分離された固体成分Ｚは、少なくとも一部が重力によって貯水容器２の底部（本実施形態では底部濾過部４ｂ上）に移動して堆積する。このため、本実施形態の濾過装置１によれば、堆積物によって、原水貯留空間Ｒ１から濾材収容空間Ｒ２に原水Ｘが進入可能な面積が減少することを抑制することができ、堆積物によって濾材４への進入経路が全て塞がるまでの時間を長く確保することが可能となる。
【００５２】
したがって、本実施形態の濾過装置１によれば、水を再利用可能としながら外部動力を必要とせずに原水の濾過を行う上で、原水Ｘに含まれる固体成分が堆積することによる処理能力の低下を抑えることが可能となる。
【００５３】
また、本実施形態の濾過装置１においては、原水貯留空間Ｒ１の下部も貯水容器２の底部２ａに接続されており、原水貯留空間Ｒ１の底部にも濾材４（底部濾過部４ｂ）が配置されている。このため、濾材収容空間Ｒ２のみに濾材４を配置する場合（すなわち水平濾過部４ａのみを設ける場合）と比較して、濾過装置１の処理能力を向上させることが可能となる。
【００５４】
また、本実施形態の濾過装置１においては、円筒区画壁３の下部が濾材４に埋設されている。このため、円筒区画壁３を貯水容器２に対して直接固定しなくても、円筒区画壁３を安定して支持することが可能となる。
【００５５】
また、本実施形態の濾過装置１においては、円筒区画壁３が軸心Ｌを鉛直方向に向けた筒形状とされている。このため、円筒区画壁３の径方向外側から均等に原水Ｘを水平濾過部４ａに供給することが可能となる。このため、区画壁を矩形や板状とする場合と比較して、原水貯留空間Ｒ１の全域を均等に濾過することが可能となる。
【００５６】
また、本実施形態の濾過装置１においては、開口された先端部が原水貯留空間Ｒ１に配置され、貯水容器２の外部から原水貯留空間Ｒ１に原水Ｘを案内する供給ホース５を備えている。原水貯留空間Ｒ１の上方から原水Ｘを落水させることも可能であるが、この場合には、原水Ｘが落水した場合の衝撃によって、貯水容器２の内部に固体成分Ｚが偏って堆積されてしまう。
【００５７】
これに対して、本実施形態の濾過装置１によれば、供給ホース５によって衝撃を少なくして原水Ｘを原水貯留空間Ｒ１に供給することができる。したがって、本実施形態の濾過装置１によれば、貯水容器２の内部にて固体成分Ｚが偏って堆積されることを抑止することができる。
【００５８】
また、本実施形態の濾過装置１においては、供給ホース５は、原水貯留空間Ｒ１の内部に位置する途中部位が先端部に向けて下降するように傾斜配置され、途中部位の上部が上方に向けて開口されている。このため、本実施形態の濾過装置１によれば、供給ホース５の先端側が固体成分Ｚ中に埋設されても、供給ホース５を流れる原水が原水貯留空間Ｒ１に流れ込むことが可能となる。
【００５９】
（実施例）
続いて、上記第１実施形態の濾過装置１の実施例について説明する。本実施例では、直径の異なる円筒区画壁３を備えた濾過装置１を用いて実験を行い、さらに比較対象として円筒区画壁３を備えない濾過装置を用いた実験も行った。
【００６０】
なお、以下の説明では、上述の円筒区画壁３を備えない濾過装置を比較用濾過装置と称する。また、直径が相対的に小さな円筒区画壁３を備える濾過装置１を小径濾過装置と称し、直径が相対的に大きな円筒区画壁３を備える濾過装置１を大径濾過装置と称する。
【００６１】
また、比較用濾過装置は、円筒区画壁３を備えないため原水貯留空間Ｒ１と濾材収容空間Ｒ２とが区画されておらず、貯水容器２に対して底部濾過部４ｂと同じ高さで一様に濾材４を設置した構成を有している。
【００６２】
比較用濾過装置、小径濾過装置及び大径濾過装置の貯水容器２（リス興業（株）製造：シール容器深１１型）としては、いずれも外径寸法が直径３０９ｍｍ、高さ２５２ｍｍで、容量は１１Ｌの容器を用いた。また、上記容器の底部中心に直径２２ｍｍの穴を空け、その穴を覆うサイズの防虫網（５０ｍｍ×５０ｍｍ）と、空気層を確保するための人工芝のマット（ワタナベ工業（株）製造：システムターフＲ−グリーン）を直径２００ｍｍになるように切って容器の底に敷き、その上を直径３００ｍｍに切った防虫網で覆った。
【００６３】
小径濾過装置の円筒区画壁３としては、内径５２ｍｍ、外径６０ｍｍの網状の筒を用いた。また、大径濾過装置の円筒区画壁３としては、内径１０７ｍｍ、外径１１４ｍｍの網状の筒を用いた。これらの筒としては、それぞれ長さ２１０ｍｍの細いネトロンパイプ（大日本プラスチック（株）製造：ＥＰ−５０（全開孔））と太いネトロンパイプ（大日本プラスチック（株）製造：ＥＰ−１００（全開孔））を用いた。
【００６４】
比較用濾過装置では、リサイクルガラス（０ｍｍ〜１０ｍｍ）を高さ６０ｍｍになるように貯水容器２に敷詰めて濾材とした。小径濾過装置及び大径濾過装置では、円筒区画壁３を貯水容器２の底部２ａの中央に立てて置き、リサイクルガラスを円筒区画壁３の周囲に高さ６０ｍｍに敷詰めるとともに、円筒区画壁３の上部まで詰めて濾材４とした。
【００６５】
また、供給ホース５としては、内径１８ｍｍ、外径２２ｍｍ、長さ６０ｍｍの透明ビニールホースに幅２ｍｍのスリット５ａを入れたスロープ状のホースを作製して用いた。この供給ホース５は、内径１３ｍｍ、外径１８ｍｍ、長さ７０ｍｍである透明塩ビパイプを用いてＴＳ給水栓用エルボに接続し、さらに貯水容器２の上方に配置されたコンテナに接続した。このような供給ホース５を用いることで、原水Ｘ（トイレットペーパー水溶液）を一定の流量で流し込むことができるように工夫した。
【００６６】
また、比較用濾過装置における濾材の上面（原水Ｘとの接触面）の面積は４７５ｃｍ２であった。また、小径濾過装置の底部濾過部４ｂの上面の面積は４４７ｃｍ２であり、大径濾過装置の底部濾過部４ｂの上面の面積は３７３ｃｍ２であった。
【００６７】
このような比較用濾過装置、小径濾過装置及び大径濾過装置に対して、上部に設置したコンテナから原水Ｘを一定量で供給し、貯水容器２の底部２ａから排出された処理水Ｙの水量をメスシリンダーで測定した。ここで使用したコンテナ（アステージ（株）製造：ＮＦ  ボックス＃１１）の内径寸法は、幅２７８ｍｍ、奥行き１５３ｍｍ、高さ１６５ｍｍ  で容量は７Ｌである。また原水Ｘの流量を調節するため、供給ホース５の入口に厚さ０．５ｍｍ、直径１８ｍｍのＰＥＴ樹脂板を嵌め、この樹脂板の中央に直径７ｍｍの穴を開けた。また、比較用濾過装置、小径濾過装置及び大径濾過装置を支えるためにラック（ドウシシャ（株）製造：ＰＥ５０５０−２Ｐ）を使用し、貯水容器２の底部２ａから流出した処理水Ｙの水量（濾過水量Ｖをメスシリンダー（サンプラテック（株）製造：１０７７−１ＰＣ）で測定した。
【００６８】
一般にトイレ１回の使用に必要とする水の量は６．５Ｌであり、また１回のトイレットペーパーの使用量を０．８ｍ（１．５４ｇ）としたときの濃度を再現し、より明確に測定値の差が得られるように２倍の濃度で実験を行った。まず３Ｌの原水Ｘをコンテナに流し込む。流し入れた原水Ｘが濾過された後、これを繰り返して投入数Ｎ＝１０回毎に測定を行った。すなわち、３Ｌの原水Ｘをコンテナに供給し、濾過水量ＶがＶ＝０．５Ｌ、１Ｌ、２Ｌで得られる濾過時間Ｔ（ｓｅｃ）と、濾過時間Ｔ＝５ｍｉｎでの濾過水量Ｖを測定した。
【００６９】
図４〜図６に測定結果を示す。図４は濾過水量Ｖが０．５Ｌであるときの測定結果を示すグラフであり、図５は濾過水量Ｖが１Ｌであるときの測定結果を示すグラフであり、図６は濾過水量Ｖが２Ｌであるときの測定結果を示すグラフである。なお、図４〜図６において、縦軸は濾過時間Ｔを示し、横軸は原水Ｘの投入数Ｎを示している。また、図４〜図６（また後述する図７）において、〇印が比較用濾過装置での測定結果を示し、□印が小径濾過装置での測定結果を示し、△印が大径濾過装置での測定結果を示している。
【００７０】
図４に示す測定結果では、小径濾過装置と大径濾過装置における濾過時間Ｔは、図中のＰ点まではほぼ一致していて、あまり差は認められない。しかし比較用濾過装置における濾過時間Ｔに注目して見ると、小径濾過装置及び大径濾過装置よりも短くなっている。またＰ点以降では濾過時間Ｔは、大径濾過装置＜小径濾過装置＜比較用濾過装置の順で長くなっている。図５及び図６に示す測定結果では、いずれの濾過装置も図中のＰ点までほぼ一致していて濾過時間Ｔに差は認められない。しかし、Ｐ点以降は徐々に濾過方式の影響が認められ、投入数Ｎ＝２４０回では、明らかに大径濾過装置＜小径濾過装置＜比較用濾過装置の順で濾過時間Ｔが長くなっている。
【００７１】
投入数Ｎ＝２４０回の時においては、固体成分Ｚすなわちトイレットペーパーの堆積物は、比較用濾過装置の濾材の上面、小径濾過装置の底部濾過部４ｂ及び大径濾過装置の底部濾過部４ｂの上面の全面を覆っていた。しかしながら、円筒区画壁３に注目すると、小径濾過装置及び大径濾過装置では、円筒区画壁３の側面が露出して初期状態を保っており、常に原水Ｘの液体成分が水平濾過部４ａに流れ込むことが可能な状態となっていた。
【００７２】
図７は、縦軸に濾過水量Ｖを取り、横軸に投入数Ｎを取って濾過時間Ｔ＝５ｍｉｎにおける測定結果を示すグラフである。〇印と△印に注目すると、図中のＰ点までは〇印の比較用濾過装置が△印の大径濾過装置よりも濾過水量Ｖを多く得ることが出来るのに対し、Ｐ点以降は逆転することが分かる。
【００７３】
また、図７で示す濾過時間Ｔ＝５ｍｉｎ（＝３００ｓｅｃ）の実験結果におけるＰ点で示す濾過水量Ｖ＝２Ｌの測定値は、比較用濾過装置、小径濾過装置及び大径濾過装置で得られた測定値に差はあまり見られなかった。これは図６で示す濾過水量Ｖ＝２Ｌの測定結果におけるＰ点で示す濾過時間Ｔ＝３００ｓｅｃ（＝５ｍｉｎ）の測定値と一致するもので、差が認められないのは当然である。
【００７４】
一方、濾過時間Ｔは比較用濾過装置における濾材の上面（原水Ｘとの接触面）の面積や、底部濾過部４ｂの上面の面積に依存するはずである。いま、比較用濾過装置の濾材の上面面積を基準の１００％として、底部濾過部４ｂの上面面積の面積比を示せば小径濾過装置で９４％、大径濾過装置で７９％となるので、水平濾過部４ａの影響を除いた濾過時間Ｔは、小径濾過装置及び大径濾過装置では比較用濾過装置より長くなるはずである。これは堆積物の厚さからも理解される。堆積物の厚さは比較用濾過装置と小径濾過装置ではあまり変化は認められないが、大径濾過装置ではかなり厚くなっていた。つまり、投入数Ｎ＝２４０回における濾過時間Ｔは、水平濾過部４ａを用いない場合には、比較用濾過装置＜小径濾過装置＜大径濾過装置の順で長くなるはずである。しかしながら、水平濾過部４ａの効果により、小径濾過装置及び大径濾過装置の濾過時間Ｔは、予想よりもかなり短くなっている。
【００７５】
（第２実施形態）
続いて、本発明の第２実施形態について、図８及び図９を参照して説明する。なお、本実施形態の説明において、上記第１実施形態と同様の部分については、その説明を省略あるいは簡略化する。図８は、本発明の第２実施形態における濾過装置１Ａの概略構成を示す模式図であり、（ａ）が斜視図、（ｂ）が縦断面図である。また、図９は、図８（ｂ）の分解断面図である。
【００７６】
これらの図に示すように、本実施形態の濾過装置１Ａは、外側貯水容器６と、区画壁支持ケース７と、空気管８と、内側バスケット９（予備濾過容器）と、蓋部１０とを備えている。なお、図８（ａ）及び図９においては、蓋部１０を省略して図示している。
【００７７】
外側貯水容器６は、上部が開放された有底の容器であり、平面視において矩形状とされている。この外側貯水容器６は、底部６ａと、側壁部６ｂと、排出ポート６ｃ（排出部）とを有している。
【００７８】
本実施形態において底部６ａ及び側壁部６ｂは、液体が通過不能とされており、平面視矩形状の底部６ａを囲うように側壁部６ｂが設けられている。排出ポート６ｃは、側壁部６ｂの底部６ａの近傍を水平方向に貫通するように、側壁部６ｂに対して嵌合されている。この排出ポート６ｃは、外側貯水容器６の内部空間と外部空間とを接続するポートであり、外側貯水容器６の内部空間から処理水Ｙを外部に排出可能とする部位である。このような排出ポート６ｃは、上述のように、側壁部６ｂの底部６ａの近傍に配置されており、外側貯水容器６の下部に設けられている。
【００７９】
区画壁支持ケース７は、外側貯水容器６よりも小型の上部が開放された有底の容器であり、外側貯水容器６の内部に配置されている。本実施形態の濾過装置１Ａにおいては、円筒区画壁３が複数設けられている。区画壁支持ケース７は、これらの円筒区画壁３を収容かつ支持する平面視矩形状の容器である。
【００８０】
この区画壁支持ケース７は、底部７ａと、側壁部７ｂとを有している。底部７ａは、円筒区画壁３が立設され、円筒区画壁３を下方から支持している。この底部７ａには、円筒区画壁３が設置される領域に対して上下に貫通する開口を有している。このため、円筒区画壁３の下端から排出された処理水Ｙは、底部７ａの開口を通じて区画壁支持ケース７の外部に排出可能とされている。
【００８１】
側壁部７ｂは、外側貯水容器６の側壁部６ｂに対して水平方向に離間されている。このため、区画壁支持ケース７の側壁部７ｂと、外側貯水容器６の側壁部６ｂとの間には、外側貯水容器６の底部６ａに連通する空間が設けられている。したがって、仮に区画壁支持ケース７の内部から原水Ｘが溢れたとしても、区画壁支持ケース７から溢れた原水Ｘは、外側貯水容器６に受け止められる。よって、濾過装置１Ａの外部に原水Ｘが漏出することが防止される。
【００８２】
さらに、区画壁支持ケース７は、円筒区画壁３を下方から支持すると共に、外側貯水容器６に対して着脱可能に収容されている。このため、図９に示すように、区画壁支持ケース７を外側貯水容器６に対して持ち上げることによって、区画壁支持ケース７ごと円筒区画壁３を外側貯水容器６から取り出すことができる。
【００８３】
本実施形態において円筒区画壁３は、区画壁支持ケース７の内部に複数（本実施形態では図８（ａ）に示すように８つ）設けられている。本実施形態においても、円筒区画壁３は、液体を通過可能な材料によって形成された円筒形状とされている。
【００８４】
なお、図８（ａ）に示すように、本実施形態においては、複数の円筒区画壁３のうち、２つの円筒区画壁３の直径が他の円筒区画壁３よりも小さい。具体的には、複数の円筒区画壁３が内側バスケット９を囲うように環状に配列されており、これらのうち２つが区画壁支持ケース７の内側に内側バスケット９を載置するスペースを確保するために小径とされている。
【００８５】
このような本実施形態の濾過装置１Ａでは、円筒区画壁３は、外側貯水容器６の内部空間の一部である区画壁支持ケース７の内部空間を、水平方向にて原水貯留空間Ｒ１と濾材収容空間Ｒ２とに区画している。
【００８６】
また、本実施形態の濾過装置１Ａでは、濾材４は、各々の円筒区画壁３の内部に収容された水平濾過部４ａと、外側貯水容器６の底部６ａ上に配置された底部濾過部４ｂとに加えて、区画壁支持ケース７の底部７ａ上に配置された区画壁支持ケース濾過部４ｃを備えている。
【００８７】
区画壁支持ケース濾過部４ｃは、原水貯留空間Ｒ１に貯留された原水Ｘが円筒区画壁３の内部に進入せずに区画壁支持ケース７の底部７ａに設けられた開口から漏出することを防止する。また、区画壁支持ケース濾過部４ｃは、円筒区画壁３の下部を囲い、円筒区画壁３を支持している。
【００８８】
空気管８は、外側貯水容器６の側壁部６ｂの上部に対して接続されている。この空気管８は、外側貯水容器６の側壁部６ｂを貫通して設けられており、外側貯水容器６の内部と外部との間で空気を出し入れするための流路を形成している。
【００８９】
内側バスケット９は、原水Ｘに含まれる大型の固体成分（固体成分の一部）を捕捉し、原水Ｘに含まれる液体成分を透過させる網状の部材からなる容器である。この内側バスケット９は、区画壁支持ケース７に着脱可能に収容されており、複数の円筒区画壁３によって囲まれた領域に配置されている。
【００９０】
このような内側バスケット９は、平面視矩形状の底部９ａと、平面視で底部９ａを囲う側壁部９ｂとを有している。側壁部９ｂは、区画壁支持ケース７の側壁部７ｂに対して水平方向に離間されている。このため、内側バスケット９の側壁部９ｂと、区画壁支持ケース７の側壁部７ｂとの間には、区画壁支持ケース７の底部７ａに連通する空間が設けられている。したがって、仮に内側バスケット９の内部から原水Ｘが溢れたとしても、内側バスケット９から溢れた原水Ｘは、区画壁支持ケース７に受け止められる。
【００９１】
この内側バスケット９は、蓋部１０に設けられた後述の原水供給ポート１０ｂの下方に配置されている。このような内側バスケット９は、原水供給ポート１０ｂを介して外側貯水容器６の内部に供給される原水Ｘを受け、原水Ｘに含まれる大型の固体成分を捕捉して液体成分を通過させる。
【００９２】
蓋部１０は、外側貯水容器６の側壁部６ｂの上端縁に着脱可能に載置され、外側貯水容器６の内部空間を上方から覆っている。この蓋部１０は、外側貯水容器６を上方から覆う本体部１０ａと、平面視で本体部１０ａの中央に配置される原水供給ポート１０ｂとを備えている。この原水供給ポート１０ｂは、本体部１０ａを上下方向に貫通して設けられており、原水Ｘを蓋部１０の外側から外側貯水容器６の内部に供給するための流路を形成している。なお、蓋部１０は、不図示のボルト等によって外側貯水容器６に対して着脱可能に締結されている。
【００９３】
このような構成の本実施形態の濾過装置１Ａにて、外部から原水Ｘが原水供給ポート１０ｂから外側貯水容器６の内部空間に供給されると、原水Ｘは内側バスケット９の内部に落水する。内側バスケット９に供給された原水Ｘは、内側バスケット９の側壁部９ｂを通過して内側バスケット９の外側に流入する。このとき、原水Ｘに含まれる大型の固体成分は、内側バスケット９に捕捉される。
【００９４】
内側バスケット９から排出された原水Ｘの液体成分は、水平方向に移動して円筒区画壁３を通過して濾材４の水平濾過部４ａに浸透して供給される。このように原水Ｘの液体成分が濾材４に供給されるに伴って、原水Ｘの固体成分は濾材４の表面に残り、原水Ｘから分離される。
【００９５】
水平濾過部４ａに供給された原水Ｘの液体成分は、水平濾過部４ａに沿って下方に移動し、区画壁支持ケース７の底部７ａに設けられた開口から処理水Ｙとして排出される。さらに処理水Ｙは、底部濾過部４ｂを介して排出ポート６ｃに到達し、排出ポート６ｃから外側貯水容器６の外部に排出される。
【００９６】
原水Ｘが水平濾過部４ａに供給されることによって、水平濾過部４ａの表面に濾しとられた固体成分Ｚは、重力の作用によって少なくとも一部が水平濾過部４ａの表面から剥離して原水貯留空間Ｒ１を底部に向かって移動する。このように、水平濾過部４ａの表面から剥離して原水貯留空間Ｒ１を底部に向かって移動した固体成分は、区画壁支持ケース濾過部４ｃ上に堆積する。このため、水平濾過部４ａの表面は、原水Ｘの固体成分Ｚが少なく、原水Ｘの液体成分が進入しやすい状態が維持される。
【００９７】
一定時間が経過すると、区画壁支持ケース濾過部４ｃ上に固体成分Ｚが厚く堆積した状態となる。このように、区画壁支持ケース濾過部４ｃ上に固体成分Ｚが厚く堆積した状態であっても、水平濾過部４ａの表面に残存する固体成分Ｚは少ないため、原水貯留空間Ｒ１に供給された原水Ｘは、水平濾過部４ａに水平移動することができる。
【００９８】
また、内側バスケット９に対して固体成分Ｚが多く溜まった場合には、蓋部１０を外側貯水容器６から取り外し、さらに内側バスケット９を区画壁支持ケース７から離脱させることによって、内側バスケット９に溜まった固体成分Ｚを容易に取り出すことができる。例えば、新しい内側バスケット９を設置することによって、すぐに濾過装置１Ａを再稼働させることが可能となる。また、内側バスケット９を固体成分Ｚと共に後処理可能な材料によって形成することで、内側バスケット９から固体成分Ｚを除去する必要がなくなり、後処理が容易となる。
【００９９】
また、例えば、内側バスケット９を設置せずに濾過装置１Ａを使用することも可能である。このような場合に区画壁支持ケース７に対して固体成分Ｚが多く溜まった場合には、区画壁支持ケース７を外側貯水容器６から離脱させることによって、区画壁支持ケース７に溜まった固体成分Ｚを容易に取り出すことができる。例えば、円筒区画壁３や水平濾過部４ａ等が設置された新しい区画壁支持ケース７を設置することによって、すぐに濾過装置１Ａを再稼働させることが可能となる。
【０１００】
また、内側バスケット９を設置せずに濾過装置１Ａを使用する場合には、例えば、排出ポート６ｃや原水供給ポート１０ｂをバルブ等で閉塞した状態で外側貯水容器６の内部に外部から水を供給し、供給した水と共に固体成分Ｚを吸引することで排出することも可能である。
【０１０１】
以上のような本実施形態の濾過装置１Ａにおいては、原水貯留空間Ｒ１に配置され、原水貯留空間Ｒ１に供給される原水Ｘを受けると共に原水Ｘに含まれる固体成分Ｚの一部を捕捉して液体成分を通過させる内側バスケット９を備えている。このため、本実施形態の濾過装置１Ａによれば、原水Ｘが円筒区画壁３に到達するために、原水Ｘに含まれる固体成分Ｚの一部を予め原水Ｘから分離することができる。したがって、本実施形態の濾過装置１Ａによれば、円筒区画壁３の表面をより詰まりにくくすることが可能となる。
【０１０２】
また、本実施形態の濾過装置１Ａにおいては、内側バスケット９は、外側貯水容器６に対して着脱可能とされている。このため、内側バスケット９を外側貯水容器６から取り外すことによって、容易に内側バスケット９に捕捉された固体成分Ｚを外側貯水容器６から取り出すことが可能となる。
【０１０３】
また、本実施形態の濾過装置１Ａにおいては、内側バスケット９の側壁部９ｂと、区画壁支持ケース７の側壁部７ｂとが水平方向に離間して配置されている。さらに、内側バスケット９の側壁部９ｂと、外側貯水容器６の側壁部６ｂとも水平方向に離間して配置されている。このため、仮に内側バスケット９の内部から原水Ｘが溢れたとしても、内側バスケット９から溢れた原水Ｘは、外側貯水容器６の外部に漏出することがない。
【０１０４】
また、本実施形態の濾過装置１Ａにおいては、外側貯水容器６の内部に着脱可能に収容されると共に円筒区画壁３を支持する区画壁支持ケース７を備えている。このため、区画壁支持ケース７を外側貯水容器６から取り外すことによって、容易に円筒区画壁３を外側貯水容器６から取り出すことが可能となる。
【０１０５】
また、本実施形態の濾過装置１Ａにおいては、区画壁支持ケース７の側壁部７ｂは、外側貯水容器６の側壁部６ｂに対して水平方向に離間されている。このため、仮に区画壁支持ケース７の内部から原水Ｘが溢れたとしても、区画壁支持ケース７から溢れた原水Ｘを、外側貯水容器６で受け止めることができ、濾過装置１Ａの外部への原水Ｘの漏出を防止することができる。
【０１０６】
以上、添付図面を参照しながら本発明の好適な実施形態について説明したが、本発明は、上記実施形態に限定されないことは言うまでもない。上述した実施形態において示した各構成部材の諸形状や組み合わせ等は一例であって、本発明の趣旨から逸脱しない範囲において設計要求等に基づき種々変更可能である。
【０１０７】
例えば、上記実施形態においては、円筒区画壁３の外側を原水貯留空間Ｒ１とし、円筒区画壁３に囲まれた内側を濾材収容空間Ｒ２とする構成について説明した。しかしながら、本発明はこれに限定されるものではない。
【０１０８】
図１０は、濾過装置を模式的に示した平面図である。例えば、図１０（ａ）に示すように、円筒区画壁３に囲まれた内側を原水貯留空間Ｒ１とし、円筒区画壁３の外側を濾材収容空間Ｒ２とすることも可能である。このような場合には、円筒区画壁３の外側に濾材４が充填配置されることになる。
【０１０９】
また、例えば、図１０（ｂ）に示すように、大きさの異なる区画壁１１を二重管状に配置し、これらの区画壁１１に挟まれた空間を濾材収容空間Ｒ２とする構成を採用することも可能である。また、内側の区画壁１１に囲まれた空間を原水貯留空間Ｒ１とする。このような場合には、区画壁１１に挟まれた空間に濾材４が充填配置されることになる。なお、外側の区画壁１１のさらに外側を原水貯留空間Ｒ１とすることも可能である。
【０１１０】
また、上記実施形態においては、濾材４が同一材料によって形成された構成について説明した。しかしながら、本発明はこれに限定されるものではない。例えば、水平濾過部４ａを形成する材料と、底部濾過部４ｂを形成する材料とを異ならせることも可能である。例えば、水平濾過部４ａは、底部濾過部４ｂよりも高さ寸法が大きいことから、液体が下端までたどり着く経路が底部濾過部４ｂよりも長い。このため、水平濾過部４ａの密度を底部濾過部４ｂよりも小さくし、水平濾過部４ａへの進水速度を高めるようにしても良い。
【０１１１】
また、上記実施形態においては、水平濾過部４ａの密度が高さ方向に均一である構成について説明した。しかしながら、本発明はこれに限定されるものではない。例えば、水平濾過部４ａ上に堆積する固体成分Ｚの厚さ寸法が大きくなるほど、固体成分Ｚを液体成分が通過しにくくなる。このため、水平濾過部４ａを上部に向かうに連れて密度を小さくし、固体成分Ｚの厚さ寸法が大きくなるほど、水平濾過部４ａに液体が供給されやすいようにすることも可能である。具体的には、水平濾過部４ａの上部に向かうに連れて濾材４を形成するガラス片の粒径を大きくして空隙を増やすことで、水平濾過部４ａを上部に向かうに連れて密度を小さくすることができる。
【符号の説明】
【０１１２】
１……濾過装置、１Ａ……濾過装置、２……貯水容器、２ａ……底部（排出部）、２ｂ……側壁部、３……円筒区画壁（区画壁）、４……濾材、４ａ……水平濾過部、４ｂ……底部濾過部、４ｃ……区画壁支持ケース濾過部、５……供給ホース（原水供給管）、５ａ……スリット、６……外側貯水容器（貯水容器）６ａ……底部、６ｂ……側壁部、６ｃ……排出ポート（排出部）、７……区画壁支持ケース、７ａ……底部、７ｂ……側壁部、８……空気管、９……内側バスケット（予備濾過容器）、９ａ……底部、９ｂ……側壁部、１０……蓋部、１０ａ……本体部、１０ｂ……原水供給ポート、１１……区画壁、Ｌ……軸心、Ｒ１……原水貯留空間、Ｒ２……濾材収容空間、Ｘ……原水、Ｙ……処理水、Ｚ……固体成分
【図１】
2020124686.tif 000003
【図２】
2020124686.tif 000004
【図３】
2020124686.tif 000005
【図４】
2020124686.tif 000006
【図５】
2020124686.tif 000007
【図６】
2020124686.tif 000008
【図７】
2020124686.tif 000009
【図８】
2020124686.tif 000010
【図９】
2020124686.tif 000011
【図１０】
2020124686.tif 000012